Podtech/llm-jp-corpus-v4-ja_patent huggingface dataset:
【手続補正書】
【提出日】平成25年3月25日(2013.3.25)
【手続補正１】
【補正対象書類名】特許請求の範囲
【補正対象項目名】全文
【補正方法】変更
【補正の内容】
【特許請求の範囲】
【請求項１】
エレクトレット濾材であって、
熱可塑性樹脂と、フッ素化された基を含まない複素環式イミド材料を含む帯電強化添加剤と、の配合物を含む不織超極細繊維ウェブ
を含む、エレクトレット濾材。
【請求項２】
フッ素化された基を含まない前記複素環式イミド材料が、構造（ａ）、（ｂ）若しくは（ｃ）の少なくとも１つの材料、又はこれらの任意の組み合わせを含む
【化１】
2012522908.tif 000001
（式中、前記基Ｒ１は、水素原子、アルキル、アリール、ヘテロアルキル、置換アルキル、置換アリール、又は複素環式イミド基を含む基を含み、
前記基Ｒ２及びＲ３は、独立して、水素原子、アルキル、アリール、ヘテロアルキル、置換アルキル、置換アリール、又は複素環式イミド基を含む基を含み、
前記基Ｒ４、Ｒ５、Ｒ６及びＲ７は、独立して、水素原子、アルキル、アリール、ヘテロアルキル、置換アルキル、置換アリール、又は複素環式イミド基を含む基を含み、
Ａｒは芳香環を含み、
Ｚ１及びＺ２はそれぞれ、独立して、前記環の任意の位置に位置する前記芳香環上の置換基であり、かつ水素原子、アルキル、アリール、ヘテロアルキル、置換アルキル、置換アリール、二トロ基、又は複素環式イミドを含む基である）、請求項１に記載のエレクトレット濾材。
【請求項３】
フッ素化された基を含まない前記複素環式イミド材料が、少なくとも構造（ｄ）、（ｅ）、（ｆ）若しくは（ｇ）の１つの材料、又はこれらの任意の組み合わせを含む、
【化２】
2012522908.tif 000002
（式中、ｎが約５〜７の数である）、請求項１に記載のエレクトレット濾材。
【請求項４】
エレクトレットウェブの調製方法であって、
熱可塑性材料を用意する工程と、
フッ素化された基を含まない複素環式イミド材料を含む帯電強化添加剤を用意する工程と、
前記熱可塑性材料及び前記帯電強化添加剤をホットメルト混合して熱可塑性配合物を生産する工程と、
ウェブを形成する工程と、
前記ウェブを静電気的に帯電させる工程と、を含む、エレクトレットウェブの調製方法。
【手続補正書】
【提出日】平成25年3月28日(2013.3.28)
【手続補正１】
【補正対象書類名】特許請求の範囲
【補正対象項目名】全文
【補正方法】変更
【補正の内容】
【特許請求の範囲】
【請求項１】
熱可塑性樹脂と、ヒンダードアミンＮ−置換スクシンイミドオリゴマーを含む加工助剤とを含む、配合物を調製する工程と、
前記配合物をホットメルト混合する工程と、
前記ホットメルト配合物からウェブを形成する工程と、
前記ウェブを静電帯電させる工程と、
を含む、エレクトレットウェブの調製方法。
【請求項２】
前記加工助剤が、式の材料を含む
【化１】
2012522909.tif 000001
（式中、前記基Ｒ１が、ヒンダードアミン基を含み、
前記基Ｒ４及びＲ７が、独立して、他のスクシンイミド環又はアルキル末端基に連結するアルキレン又は置換アルキレン連結基を含み、
前記基Ｒ５及びＲ６基が、独立して、水素原子、アルキル、アルケニル、アルキニル、アリール、ヘテロアルキル、置換アルキル又は置換アリールを含み、前記材料が１００繰り返し単位までを含む）、請求項１に記載の方法。
【請求項３】
前記加工助剤が、式の材料を含む
【化２】
2012522909.tif 000002
（式中、ｎが約５〜７の数である）、請求項１に記載の方法。
【請求項４】
熱可塑性樹脂と、
ヒンダードアミンＮ−置換スクシンイミドオリゴマーを含む帯電強化添加剤と、
の配合物を含む、不織マイクロファイバーウェブを含む、エレクトレット濾材。
【手続補正書】
【提出日】平成25年3月22日(2013.3.22)
【手続補正１】
【補正対象書類名】特許請求の範囲
【補正対象項目名】全文
【補正方法】変更
【補正の内容】
【特許請求の範囲】
【請求項１】
組織内にある縫合糸を遠隔から皮下で位置決めするための装置であって、
本体と、
前記本体に結合し且つ前記本体から伸びる細長部材であって、前記細長部材の遠位端は、前記縫合糸の一部と係合するための開口を含んでいる、細長部材と、
前記本体に結合しているガイドであって、前記ガイドは前記細長部材から間隔をあけて配置されており、前記縫合糸を、前記細長部材の前記開口を通って伸びる長手方向の軸と合わせるための鍵部を含むガイドと、を含み、
前記細長部材はハウジングに連結されており、
前記ハウジングは前記本体に連結されていることを特徴とする装置。
【請求項２】
前記装置は、前記縫合糸を通すためのシャフト部を有する縫合糸挿通器具と組み合わせられ、
前記縫合糸挿通器具の一部が、前記ガイドの前記鍵部によって、前記細長部材の前記開口の中に、スライド可能に受容されていることを特徴とする請求項１に記載の装置。
【請求項３】
前記縫合糸挿通器具の近位部は、前記縫合糸挿通器具を前記ガイド内で前進及び後退させるためのアクチュエータに連結されていることを特徴とする請求項２に記載の装置。
【請求項４】
前記本体に結合し且つ前記本体から伸びるガードさらに含むことを特徴とする請求項２に記載の装置。
【請求項５】
間隔をあけて配置された２つの細長部材を含むことを特徴とする請求項１に記載の装置。
【請求項６】
前記細長部材は、前記ハウジングに取り外し可能に連結されていることを特徴とする請求項１に記載の装置。
【請求項７】
前記ハウジングは、前記本体に取り外し可能に連結されていることを特徴とする請求項１に記載の装置。
【請求項８】
前記縫合糸の一部と係合するための前記開口が、成形されたアイレットであることを特徴とする請求項１に記載の装置。
【請求項９】
前記アイレットは、前記細長部材に取り外し可能に連結されていることを特徴とする請求項８に記載の装置。
【請求項１０】
前記縫合糸の一部と係合するための前記開口が、拡張可能であることを特徴とする請求項１に記載の装置。
【請求項１１】
組織内にあるテザリングストランドを遠隔から皮下で位置決めするための装置であって、
ハウジングと、
前記ハウジングに対する長手方向の往復運動のために前記ハウジングに連結されたアクチュエータと、
前記ハウジングに連結された第１の針と、前記アクチュエータに連結された第２の針とを含む入れ子状の１組の針と、を含み、
前記針の一方が、鋭利な先端を有し、
前記針の他方が、丸められた先端を有することを特徴とする装置。
【請求項１２】
前記鋭利な先端が、前記入れ子状の１組の針の外針と結合されており、
前記丸められた先端が、前記入れ子状の１組の針の内針と結合されていることを特徴とする請求項１１に記載の装置。
【請求項１３】
前記第１の針は第１の長さを有し、
前記第２の針は第２の長さを有し、
前記第１の長さ及び前記第２の長さは、前記アクチュエータを用いた前記第２の針の前進によって前記鋭利な先端が前記丸められた先端を越えて突出するように、及び前記アクチュエータを用いた前記第２の針の後退によって前記丸められた先端が前記鋭利な先端を越えて突出するように、選択されることを特徴とする請求項１１に記載の装置。
【請求項１４】
前記針の一方が、前記入れ子状の１組の針の外針であり、
前記テザリングストランドが前記外針に連結していることを特徴とする請求項１１に記載の装置。
【手続補正書】
【提出日】平成25年4月2日(2013.4.2)
【手続補正１】
【補正対象書類名】特許請求の範囲
【補正対象項目名】全文
【補正方法】変更
【補正の内容】
【特許請求の範囲】
【請求項１】
外科的処置における作業チャネルを拡大するべく組織の開口部を拡張するためのアセンブリであって、
（ａ）第１の開創器であって、同第１の開創器の先端部および第１の開創器の基端部を含む、前記第１の開創器と、
（ｂ）その先端部に少なくとも２つの開創器の刃の組を備える第２の開創器であって、該２つの開創器の刃の先端間の距離を変化させるべく可逆的に移動する、前記第２の開創器と、
（ｃ）前記第２の開創器と可逆的に係合して同第２の開創器を前記第１の開創器の基端部に挿入するとともに、該第２の開創器に患者の体外からトルクを付与するに先立って該第２の開創器の少なくとも一部を該第１の開創器の先端部を超えて延ばし、これにより外科的処置のための作業チャネルを拡大するために組織の開口部を拡張するべく該２つの開創器の刃の先端間の距離を延ばす開創器挿入器と
を備えることを特徴とするアセンブリ。
【請求項２】
前記第２の開創器の基端部は、前記第１の開創器の先端部の先端側に配置されることを特徴とする請求項１に記載のアセンブリ。
【請求項３】
外科的処置のための作業チャネルを拡大するべく組織の開口部を拡張するために２つの開創器の刃の先端間の距離を延ばすように、前記開創器挿入器が前記第２の開創器に患者の体外からトルクを付与する際に、該第２の開創器の基端部は、第１の開創器の先端部の基端側に保持されることを特徴とする請求項１に記載のアセンブリ。
【請求項４】
前記第２の開創器は、同第２の開創器の大きさにより第１の開創器から外れることを防止するべく２つの開創器の刃の先端間の距離を延ばすことを特徴とする請求項１に記載のアセンブリ。
【請求項５】
前記第１の開創器の先端部は、別の要素によって部分的に妨害される外科的部位への斜めの外科的アプローチの使用に対して調整されることを特徴とする請求項１に記載のアセンブリ。
【請求項６】
前記第１の開創器の先端部は、第１の開創器の長手方向軸線が脊椎の頭−尾軸線に対して斜状をなして配置されるように腰筋近傍に配置されるように構成されることを特徴とする請求項１に記載のアセンブリ。
【請求項７】
前記第２の開創器の刃の組の先端部によって保持される第２の組織の開口部の長手方向中心軸線は、第１の開創器の長手方向軸線に対して斜状をなすことを特徴とする請求項１に記載のアセンブリ。
【請求項８】
前記開創器挿入器は、外科的処置のための作業チャネルを拡大するべく組織の開口部を拡張するために２つの開創器の刃の先端間の距離を延ばすように、前記第２の開創器に患者の体外から付与される最大のトルクを制限するように構成されることを特徴とする請求項１に記載のアセンブリ。
【手続補正２】
【補正対象書類名】明細書
【補正対象項目名】発明の名称
【補正方法】変更
【補正の内容】
【発明の名称】外科的開創器アセンブリ
【手続補正書】
【提出日】平成25年4月5日(2013.4.5)
【手続補正１】
【補正対象書類名】特許請求の範囲
【補正対象項目名】全文
【補正方法】変更
【補正の内容】
【特許請求の範囲】
【請求項１】
手術用の装置であって：
導入具を具える導入ロッドまたは送達システムと；
作業器具と、第１のコネクタおよび第２のコネクタを有する回転固定要素とを具えるエンドエフェクタであって、前記作業器具に取り付けられるエンドエフェクタと；
対象部位に挿入するための遠位端を有する制御シャフトを具える制御要素と、を具えており、
前記第１のコネクタは、前記導入具が前記エンドエフェクタを対象部位に送達できるように、対象部位の外側で前記エンドエフェクタを前記導入具に取り外し可能に取り付けるよう構成されており、
前記第２のコネクタは、対象部位において前記エンドエフェクタを前記制御要素の制御シャフトの遠位端に取り外し可能に取り付けるよう構成されていることを特徴とする装置。
【請求項２】
請求項１に記載の装置において、前記エンドエフェクタが前記制御要素の制御シャフトに取り付けられた後に、前記導入具が前記エンドエフェクタから分離することができることを特徴とする装置。
【請求項３】
請求項１に記載の装置において、前記回転固定要素が、前記第１のコネクタを前記導入具に固定するよう構成され、さらに、前記導入具から前記第１のコネクタを解除して前記第２のコネクタを前記制御要素の制御シャフトに固定するよう構成されていることを特徴とする装置。
【請求項４】
請求項１に記載の装置において、前記作業器具が把持具を含むことを特徴とする装置。
【請求項５】
請求項１に記載の装置において、前記制御要素の制御シャフトの直径が、前記エンドエフェクタの直径よりも小さいことを特徴とする装置。
【請求項６】
請求項１に記載の装置において、前記制御要素の制御シャフトが、第１のシャフトと、当該第１のシャフトと同軸の第２のシャフトとを具えていることを特徴とする装置。
【請求項７】
請求項６に記載の装置において、前記第１のシャフトが前記第２のシャフトに対して摺動する場合に前記作業器具が動作するように、前記第１のシャフトが構成されていることを特徴とする装置。
【請求項８】
請求項１乃至７に記載の装置において、前記導入具および前記制御シャフトの一方または両方を操作した結果、前記導入具から前記エンドエフェクタを分離し、同時に前記エンドエフェクタを前記制御シャフトに取り付けるように、前記導入具および前記制御シャフトが構成されていることを特徴とする装置。
【請求項９】
請求項６または７に記載の装置において、前記第１のコネクタが前記エンドエフェクタのハウジングに受取スロットを具え、当該受取スロットは、前記導入具を前記エンドエフェクタに解除可能に取り付けることができるように前記回転固定要素の固定リングのスロットに位置合わせすることができ、
前記回転固定要素は、前記受取スロットから前記固定リングのスロットをずらして前記導入具を前記エンドエフェクタに固定するように回転可能であることを特徴とする装置。
【請求項１０】
請求項９に記載の装置において、前記制御シャフトは、前記エンドエフェクタが前記導入具に取り付けられた場合に前記エンドエフェクタのチャネル内に摺動可能に挿入することができ、
前記制御シャフトは、前記導入具から前記エンドエフェクタを取り外し、同時に前記エンドエフェクタを前記制御シャフトに取り付けるように、前記導入具に対して回転することができることを特徴とする装置。
【請求項１１】
請求項１０に記載の装置において、前記エンドエフェクタが、前記作業器具に連結された能動シャフトを具えており、これにより、前記制御シャフトが前記エンドエフェクタを前記制御シャフトに取り付けるように回転した場合に、前記能動シャフトが内側のシャフトに長手方向に固定され、前記内側のシャフトが外側のシャフトに対して長手方向に平行移動して前記作業器具を作動させることができるように、前記エンドエフェクタの前記能動シャフトの作動キーが前記内側のシャフトの縦の切痕と係合することを特徴とする装置。
【請求項１２】
請求項１０または１１に記載の装置において、前記第２のコネクタが固定リングのキーを具えており、前記制御シャフトが前記エンドエフェクタを前記制御シャフトに取り付けるように回転した場合に前記固定リングのキーは外側シャフトの角切痕へと回転し、これにより、前記エンドエフェクタが前記制御シャフトに固定されることを特徴とする装置。
【請求項１３】
請求項１２に記載の装置において、前記固定リングのキーが前記ハウジング内のアクスルスロット内を回転し、前記ハウジングに対する前記回転固定要素の回転を制限するように構成されていることを特徴とする装置。
【請求項１４】
手術用の装置であって：
導入具と；
作業器具と；
第１のコネクタと第２のコネクタを有する回転固定要素を具えるエフェクタであって、前記作業器具に取り付けられるエフェクタと；
制御要素とを具え；
前記第１のコネクタは前記エフェクタを前記導入具に取り外し可能に取り付けるよう構成されており、前記第２のコネクタは前記エフェクタを前記制御要素に取り外し可能に取り付けるよう構成されていることを特徴とする装置。
【手続補正書】
【提出日】平成25年4月5日(2013.4.5)
【手続補正１】
【補正対象書類名】特許請求の範囲
【補正対象項目名】全文
【補正方法】変更
【補正の内容】
【特許請求の範囲】
【請求項１】
１を超える志賀毒素産生大腸菌（ＳＴＥＣ）セロタイプ由来の免疫原性ＳＴＥＣタンパク質の１を超えるエピトープを含む、複数エピトープ融合タンパク質。
【請求項２】
ＳＴＥＣセロタイプが、ＳＴＥＣ Ｏ１５７、ＳＴＥＣ Ｏ２６、ＳＴＥＣ Ｏ１０３及びＳＴＥＣ Ｏ１１１から選択される、請求項１に記載の複数エピトープ融合タンパク質。
【請求項３】
ＳＴＥＣセロタイプが、ＳＴＥＣ Ｏ１５７：Ｈ７、ＳＴＥＣ Ｏ２６：Ｈ１１、ＳＴＥＣ Ｏ１０３：Ｈ２及びＳＴＥＣ Ｏ１１１：ＮＭから選択される、請求項２に記載の複数エピトープ融合タンパク質。
【請求項４】
少なくとも１つのエピトープがＳＴＥＣ Ｏ１５７：Ｈ７ Ｔｉｒに由来する、請求項１〜３のいずれかに記載の複数エピトープ融合タンパク質。
【請求項５】
エピトープがＳＴＥＣ Ｏ１５７：Ｈ７ Ｔｉｒ、ＳＴＥＣ Ｏ２６：Ｈ１１ Ｔｉｒ、ＳＴＥＣ Ｏ１０３：Ｈ２ Ｔｉｒ及びＳＴＥＣ Ｏ１１１：ＮＭ Ｔｉｒ由来のエピトープを含む、請求項４に記載の複数エピトープ融合タンパク質。
【請求項６】
タンパク質が、図５Ｂに示すアミノ酸の配列に少なくとも８０％同一のアミノ酸の配列を含む、請求項５に記載の複数エピトープ融合タンパク質。
【請求項７】
タンパク質が、図５Ｂに示すアミノ酸配列を含む、請求項６に記載の複数エピトープ融合タンパク質。
【請求項８】
担体分子に連結されている、請求項１〜７のいずれかに記載の複数エピトープ融合タンパク質。
【請求項９】
担体分子がＲＴＸ毒素である、請求項８に記載の複数エピトープ融合タンパク質。
【請求項１０】
担体分子がロイコトキシンポリペプチドである、請求項９に記載の複数エピトープ融合タンパク質。
【請求項１１】
ロイコトキシンポリペプチドがＬＫＴ３５２である、請求項１０に記載の複数エピトープ融合タンパク質。
【請求項１２】
タンパク質が、図６Ｂに示すアミノ酸の配列に少なくとも８０％同一のアミノ酸の配列を含む、請求項１１に記載の複数エピトープ融合タンパク質。
【請求項１３】
タンパク質が、図６Ｂに示すアミノ酸配列を含む、請求項１２に記載の複数エピトープ融合タンパク質。
【請求項１４】
請求項１〜１３のいずれかに記載の複数エピトープ融合タンパク質及び薬学的に許容されるビヒクルを含む組成物。
【請求項１５】
請求項１〜１３のいずれかに記載の複数エピトープ融合タンパク質を薬学的に許容されるビヒクルと組み合わせることを含む、組成物を作製する方法。
【請求項１６】
請求項１〜１３のいずれかに記載の複数エピトープ融合タンパク質をコードするコード配列を含むポリヌクレオチド。
【請求項１７】
（ａ）請求項１６に記載のポリヌクレオチド；及び
（ｂ）前記ポリヌクレオチドに作動可能に連結し、それによりコード配列が宿主細胞において転写され翻訳されることが可能である制御エレメント
を含む組換えベクター。
【請求項１８】
請求項１７に記載の組換えベクターで形質転換される宿主細胞。
【請求項１９】
（ａ）請求項１８に記載の宿主細胞の集団を提供すること、及び
（ｂ）組換えベクター中に存在するコード配列によりコードされるタンパク質が発現される条件下で、前記細胞の集団を培養すること
を含む、複数エピトープ融合タンパク質を作製する方法。
【請求項２０】
請求項１〜１３のいずれかに記載の複数エピトープ融合タンパク質に特異的な抗体。
【請求項２１】
ポリクローナルである、請求項２０に記載の抗体。
【請求項２２】
モノクローナルである、請求項２０に記載の抗体。
【請求項２３】
（ａ）生体試料を提供すること、
（ｂ）ＳＴＥＣ抗体が、前記生体試料中に存在するときは、前記ＳＴＥＣ抗体が複数エピトープ融合タンパク質に結合して抗体／抗原複合体を形成することを可能にする条件下で、前記生体試料を、請求項１〜１３のいずれかに記載の複数エピトープ融合タンパク質と反応させること、及び
（ｃ）前記複合体の存在又は非存在を検出し、それにより前記試料中におけるＳＴＥＣ抗体の存在又は非存在を検出すること
を含む、生体試料においてＳＴＥＣ抗体を検出する方法。
【請求項２４】
請求項１〜１３のいずれかに記載の複数エピトープ融合タンパク質及び免疫診断試験を行うための使用説明書を含む、ＳＴＥＣ感染を検出するための免疫診断試験キット。
【請求項２５】
少なくとも２つの精製された免疫原性志賀毒素産生大腸菌（ＳＴＥＣ）タンパク質を含み、前記ＳＴＥＣタンパク質が、完全長ＳＴＥＣタンパク質、その免疫原性断片及びバリアントから選択され、前記ＳＴＥＣタンパク質のうちの少なくとも１つがＳＴＥＣ Ｏ１５７及び少なくとも１つの他のＳＴＥＣセロタイプと反応する抗体を産生する、組成物。
【請求項２６】
ＳＴＥＣタンパク質のうちの少なくとも１つが、ＳＴＥＣ Ｏ１５７及び少なくとも２つの他のＳＴＥＣセロタイプと反応する抗体を産生する、請求項２５に記載の組成物。
【請求項２７】
ＳＴＥＣタンパク質のうちの少なくとも１つが、ＳＴＥＣ Ｏ１５７及び少なくとも３つの他のＳＴＥＣセロタイプと反応する抗体を産生する、請求項２６に記載の組成物。
【請求項２８】
Ｔｉｒ、ＥｓｐＡ、ＥｓｐＢ、ＥｓｐＤ、ＥｓｐＲＩ、ＮｌｅＡ、Ｔｃｃｐ、ＥｓｐＧ、ＥｓｐＦ、ＮｌｅＥ、ＮｌｅＡ、ＮｌｅＨ及びＮｌｅＨ２−１から選択される１を超えるＳＴＥＣタンパク質を含む、請求項２５〜２７のいずれかに記載の組成物。
【請求項２９】
ＳＴＥＣタンパク質がＳＴＥＣ Ｏ１５７：Ｈ７由来である、請求項２８に記載の組成物。
【請求項３０】
請求項１〜１３のいずれかに記載の複数エピトープ融合タンパク質をさらに含む、請求項２５〜２９のいずれかに記載の組成物。
【請求項３１】
免疫アジュバントをさらに含む、請求項２５〜３０のいずれかに記載の組成物。
【請求項３２】
請求項１４及び２５〜３１のいずれかに記載の治療有効量の組成物を含む、哺乳動物におけるＳＴＥＣ抗原に対する免疫応答の誘発剤。
【請求項３３】
哺乳動物が反芻動物である、請求項３２に記載の誘発剤。
【請求項３４】
反芻動物がウシ対象である、請求項３３に記載の誘発剤。
【請求項３５】
反芻動物に、請求項１４及び２５〜３１のいずれかに記載の治療有効量の組成物を投与することを含む、反芻動物におけるＳＴＥＣのコロニー形成を低減するための方法。
【請求項３６】
反芻動物に、請求項１４及び２５〜３１のいずれかに記載の治療有効量の組成物を投与することを含む、反芻動物からのＳＴＥＣ排出を低減するための方法。
【手続補正書】
【提出日】平成25年3月5日(2013.3.5)
【手続補正１】
【補正対象書類名】特許請求の範囲
【補正対象項目名】全文
【補正方法】変更
【補正の内容】
【特許請求の範囲】
【請求項１】
配列番号1および配列番号3からなるリストから選択されるアミノ酸配列の成熟部分と少なくとも95%同一であるアミノ酸配列を含み、血小板に特異的な分子と共有結合しているFVIII分子であって、前記血小板に特異的な分子が非阻害性GPIIb/IIIa抗体であるFVIII分子。
【請求項２】
vWF結合能力が低下している、請求項1に記載のFVIII分子。
【請求項３】
非阻害性GPIIb/IIIa抗体が、AP3抗体、Tab抗体またはSZ22抗体からなるリストから選択される、請求項1または2に記載のFVIII分子。
【請求項４】
融合タンパク質である、請求項1から3のいずれか一項に記載のFVIII分子。
【請求項５】
非阻害性GPIIb/IIIa抗体がリンカーを介してFVIIIと共有結合している、請求項1から3のいずれか一項に記載のFVIII分子。
【請求項６】
リンカーがFVIII分子上のN-連結またはO-連結グリカンを含む、請求項5に記載のFVIII分子。
【請求項７】
グリカンがBドメイン中に配置されている、請求項6に記載のFVIII分子。
【請求項８】
非阻害性GPIIb/IIIa抗体が、Bドメインが切断された第VIII因子分子のBドメインと融合している、請求項4に記載のFVIII分子。
【請求項９】
FVIII分子のa3ドメインが非阻害性GPIIb/IIIa抗体で置き換えられている、請求項4に記載のFVIII分子。
【請求項１０】
FVIII分子が、配列番号3に記載の配列を含み、リンカーが、Bドメイン中に配置されたO-連結グリカンを含む、請求項7に記載のFVIII分子。
【請求項１１】
請求項8または9に記載のFVIII分子をコードしている核酸。
【請求項１２】
請求項11に記載の核酸を含む宿主細胞。
【請求項１３】
請求項11に記載の核酸を請求項12に記載の宿主細胞中で発現させることを含む、FVIII分子を生成する方法。
【請求項１４】
FVIII分子と非阻害性GPIIb/IIIa抗体とのコンジュゲーションを含む、請求項5、6、7、および10のいずれか一項に記載のFVIII分子を生成する方法。
【請求項１５】
請求項1から10のいずれか一項に記載のFVIII分子を含む医薬組成物。
【請求項１６】
血友病Aを処置するための医薬品としての、請求項1から10のいずれか一項に記載のFVIII分子の使用。
【請求項１７】
血友病Aを処置するための、請求項15に記載の医薬組成物。
【手続補正書】
【提出日】平成25年4月1日(2013.4.1)
【手続補正１】
【補正対象書類名】特許請求の範囲
【補正対象項目名】全文
【補正方法】変更
【補正の内容】
【特許請求の範囲】
【請求項１】
複数の試料中の複数の標的核酸を増幅する方法であって、
標的核酸毎に増幅混合物を調製するステップであって、前記増幅混合物が、
標的特異的部分を含むフォワードプライマーと、
標的特異的部分を含むリバースプライマーと（前記フォワードプライマーが第１のヌクレオチドタグをさらに含み、及び／又は前記リバースプライマーが第２のヌクレオチドタグをさらに含む）、
バーコードヌクレオチド配列と第１及び／又は第２のヌクレオチドタグ特異的部分とを含む少なくとも１つのバーコードプライマーであって、その濃度が前記フォワード及び／又はリバースプライマーの少なくとも５倍である、バーコードプライマーと、
を含むステップと、
各増幅混合物を増幅に供するステップであって、それによりタグ付き標的ヌクレオチド配列を含む複数の標的アンプリコンであって、各々が、前記標的ヌクレオチド配列に隣接する第１及び／又は第２のヌクレオチドタグと、前記標的アンプリコンの５’又は３’末端にある少なくとも１つのバーコードヌクレオチド配列とを含む標的アンプリコンを産生するステップと、
を含む方法。
【請求項２】
前記フォワードプライマーが第１のヌクレオチドタグをさらに含む、請求項１に記載の方法。
【請求項３】
前記リバースプライマーが第２のヌクレオチドタグをさらに含む、請求項１又は２に記載の方法。
【請求項４】
前記増幅混合物中の前記バーコードプライマーの濃度が、前記フォワード及び／又はリバースプライマーの濃度の少なくとも５０倍である、請求項１に記載の方法。
【請求項５】
前記第１及び／又は第２のヌクレオチドタグ及び／又は前記バーコードヌクレオチド配列が、前記標的核酸との実質的なアニーリングを回避するように選択される、請求項１に記載の方法。
【請求項６】
前記バーコードヌクレオチド配列が特定の試料を識別する、請求項１に記載の方法。
【請求項７】
前記バーコードプライマーがバーコードヌクレオチド配列と第１のヌクレオチドタグ特異的部分とを含む、請求項１又は６に記載の方法。
【請求項８】
複数のフォワードプライマーが同じ第１のヌクレオチドタグを含む、請求項７に記載の方法。
【請求項９】
各試料中の標的配列の増幅に使用される全てのフォワードプライマーが、同じ第１のヌクレオチドタグを含む、請求項８に記載の方法。
【請求項１０】
各標的に対する前記フォワード及びリバースプライマーが、初めに前記試料とは別に組み合わせされ、及び各バーコードプライマーが、初めにその対応する試料と組み合わされる、請求項６に記載の方法。
【請求項１１】
Ｓ個の試料においてＴ個の標的が増幅され、Ｔ及びＳは１より大きい整数であり、Ｓ×Ｔ個の増幅混合物を調製するステップであって、前記初めに組み合わされたフォワード及びリバースプライマーが前記初めに組み合わされた試料及びバーコードプライマーに加えられるステップをさらに含む、請求項１０に記載の方法。
【請求項１２】
前記増幅が、前記第１及び第２のヌクレオチドタグと前記バーコードヌクレオチド配列とを導入するため少なくとも３サイクルにわたり実施される、請求項１に記載の方法。
【請求項１３】
前記増幅が５〜５０サイクルにわたり実施される、請求項１２に記載の方法。
【請求項１４】
前記増幅が、標的アンプリコンコピー数を標的に関して且つ試料に関して正規化するのに十分なサイクル回数にわたり実施される、請求項１に記載の方法。
【請求項１５】
前記標的アンプリコンの少なくとも５０パーセントが、標的アンプリコンの平均コピー数の５０パーセント超、且つ標的アンプリコンの平均コピー数の２倍未満で存在する、請求項１に記載の方法。
【請求項１６】
複数の試料中の複数の標的核酸を増幅する方法であって、
標的核酸毎に増幅混合物を調製するステップであって、
前記増幅混合物が、
標的特異的配列を含むフォワードプライマーと、
標的特異的配列を含むリバースプライマーと、
を含むステップと、
各増幅混合物を増幅に供するステップであって、それにより複数の標的ヌクレオチド配列を産生するステップと、
前記標的ヌクレオチド配列にタグを付加するステップであって、それにより前記標的ヌクレオチド配列に隣接する第１及び／又は第２のヌクレオチドタグを各々が含む複数の標的アンプリコンを産生するステップと、
を含み、
前記標的アンプリコンの少なくとも５０パーセントが、標的アンプリコンの平均コピー数の５０パーセント超、且つ標的アンプリコンの平均コピー数の２倍未満で存在する、方法。
【請求項１７】
前記増幅混合物から前記標的アンプリコンを収集するステップをさらに含む、請求項１又は１６に記載の方法。
【請求項１８】
前記標的アンプリコンが、前記収集された標的アンプリコンのうち約５０％未満が異なる容量及び／又はコピー数で収集される、請求項１７に記載の方法。
【請求項１９】
配列決定用の標的核酸を調製するために実行される、請求項１又は１６に記載の方法。
【請求項２０】
複数の第１入力ラインと、
複数の第２入力ラインと、
第１チャンバの複数のセットであって、第１チャンバの各セットが前記複数の第１入力ラインのうちの１つと流体連通している、第１チャンバの複数のセットと、
第２チャンバの複数のセットであって、第２チャンバの各セットが前記複数の第２入力ラインのうちの１つと流体連通している、第２チャンバの複数のセットと、
前記複数の第２入力ラインの第１の部分と流体連通する複数の第１ポンプ素子と、
前記複数の第２入力ラインの第２の部分と流体連通する複数の第２ポンプ素子と、
を含む、マイクロ流体デバイス。
【請求項２１】
アッセイチャンバと試料チャンバと回収ポートとを有するマイクロ流体デバイスの動作方法であって、
前記アッセイチャンバと前記試料チャンバとの間の流体ラインを閉鎖するステップと、
試料入力ラインを介して試料を前記試料チャンバに流入させるステップと、
アッセイ入力ラインを介してアッセイを前記アッセイチャンバに流入させるステップと、
前記アッセイチャンバと前記試料チャンバとの間の前記流体ラインを開放するステップと、
前記試料の少なくとも一部分と前記アッセイの少なくとも一部分とを組み合わせて混合物を形成するステップと、
前記混合物を反応させて反応産物を形成するステップと、
前記アッセイチャンバと前記試料チャンバとの間の前記流体ラインを閉鎖するステップと、
前記回収ポートから前記試料チャンバに回収試薬を流すステップと、
前記マイクロ流体デバイスから前記反応産物を取り出すステップと、
を含む、方法。
【請求項２２】
反応産物の調製方法であって、
Ｍ個の試料を提供するステップと、
Ｎ個のアッセイを提供するステップと、
前記Ｍ個の試料と前記Ｎ個のアッセイとを混合してＭ×Ｎ個のペアワイズの組み合わせを形成するステップであって、前記Ｍ×Ｎ個のペアワイズの組み合わせの各々が密閉容積内に収容されるステップと、
前記Ｍ×Ｎ個のペアワイズの組み合わせからＭ×Ｎ個の反応産物を形成するステップと、
前記Ｍ×Ｎ個の反応産物を収集するステップと、
を含む、方法。
【手続補正書】
【提出日】平成25年4月11日(2013.4.11)
【手続補正１】
【補正対象書類名】特許請求の範囲
【補正対象項目名】全文
【補正方法】変更
【補正の内容】
【特許請求の範囲】
【請求項１】
脱細胞化肝臓を提供する工程であって、該脱細胞化肝臓が肝臓の脱細胞化細胞外マトリックスを含み、該細胞外マトリックスが外面を含み、該細胞外マトリックスが血管樹を含めて脱細胞化前の細胞外マトリックスの形態を実質的に保持し、該外面が実質的に無傷である、前記工程と、
該脱細胞化肝臓と、約40,000以上の再生細胞とを、該細胞が該脱細胞化肝臓の内および上で生着、増殖および/または分化する条件下で接触させる工程と
を含む、肝臓の作製方法。
【請求項２】
前記脱細胞化肝臓を、約2300万以上の再生細胞と接触させる、請求項1記載の方法。
【請求項３】
前記脱細胞化肝臓を、約3000万以上の再生細胞と接触させる、請求項1記載の方法。
【請求項４】
前記脱細胞化肝臓を、約3500万以上の再生細胞と接触させる、請求項1記載の方法。
【請求項５】
前記再生細胞が肝細胞である、請求項1記載の方法。
【請求項６】
前記再生細胞を、門脈を介して前記脱細胞化肝臓に注入する、請求項1記載の方法。
【請求項７】
前記再生細胞を、前記脱細胞化肝臓に注射する、請求項1記載の方法。
【請求項８】
脱細胞化肝臓またはその葉（lobe）含有部分を提供する工程であって、該脱細胞化肝臓またはその葉含有部分が、該肝臓またはその葉含有部分の脱細胞化細胞外マトリックスを含み、該細胞外マトリックスが外面を含み、血管樹を含む該細胞外マトリックスが脱細胞化前の細胞外マトリックスの形態を実質的に保持し、該外面が実質的に無傷である、前記工程と、
脱細胞化肝臓またはその葉含有部分の葉と、再生細胞の集合とを、該再生細胞が該脱細胞化肝葉の内および上で生着、増殖および/または分化する条件下で接触させる工程と
を含む、肝葉の作製方法。
【請求項９】
前記再生細胞が初代肝細胞である、請求項8記載の方法。
【請求項１０】
前記再生細胞を、門脈を介して前記葉に注入する、請求項8記載の方法。
【請求項１１】
臓器を提供する工程と、
該臓器の1つ以上の空洞、管、および/または導管においてカニューレを挿入して、カニューレ挿入した臓器を作製する工程と、
該1つ以上のカニューレ挿入を介して、該カニューレ挿入した臓器に第１の細胞破壊培地を灌流させる工程と、
対応する死体臓器と比較して、脱細胞化臓器に残っている核酸の量を決定する工程と
を含む、臓器を脱細胞化する方法。
【請求項１２】
前記灌流が、臓器組織1グラム当たり約2〜12時間である、請求項11記載の方法。
【請求項１３】
前記灌流工程を、脱細胞化臓器における核酸が5％以下となるまで続ける、請求項11記載の方法。
【請求項１４】
前記細胞破壊培地が1％SDSを含む、請求項11記載の方法。
【請求項１５】
前記灌流が、カニューレ挿入した空洞、管および/または導管のそれぞれから多方向で行われる、請求項11記載の方法。
【請求項１６】
副腎の脱細胞化細胞外マトリックスを含む脱細胞化哺乳動物副腎であって、
該細胞外マトリックスが外面を含み、血管樹を含む該細胞外マトリックスが脱細胞化前の細胞外マトリックスの形態を実質的に保持し、該外面が実質的に無傷である、
前記脱細胞化哺乳動物副腎。
【手続補正書】
【提出日】平成25年3月18日(2013.3.18)
【手続補正１】
【補正対象書類名】特許請求の範囲
【補正対象項目名】全文
【補正方法】変更
【補正の内容】
【特許請求の範囲】
【請求項１】
美容及びボディシェイピング処置のための装置であって、
プローブと
外部電極と、
少なくとも一のＲＦ電圧源及び少なくとも一のレーザ放射源と
を含み、
前記プローブは、
細長いレーザ放射伝導体であって、前記伝導体の遠位端が組織の体積の中に挿入されるべく構成され、前記プローブの近位端が、ロードセルと、ＲＦ電圧及びレーザ放射の一以上のタイプを受け入れるべく動作可能なコネクタとを終端とする放射伝導体と、
前記放射伝導体の遠位端に配置された一対の電極と
を含み、
前記外部電極は、動作可能に皮膚表面と永久接触し、かつ、前記一対の電極のそれぞれよりも実質的に大きな面積を有し、
前記少なくとも一のＲＦ電圧源及び少なくとも一のレーザ放射源は、前記電極の間にＲＦ電圧の少なくとも一のタイプを供給するべく構成される装置。
【請求項２】
前記外部電極は、可撓性電極又は複数電極のグリッドからなる電極群の少なくとも一である、請求項１に記載の装置。
【請求項３】
前記放射伝導体に配置された前記一対の電極の前記少なくとも一の電極と前記外部電極との間の、及び前記放射伝導体に配置された前記一対の電極の間のインピーダンスをモニタリングするメカニズムをさらに含む、請求項１に記載の装置。
【請求項４】
前記プローブは、ＲＦ電圧、光放射、及びその双方の組み合わせからなる群の少なくとも一のトリートメントエネルギーを前記組織に適用するべく構成される、請求項１に記載の装置。
【請求項５】
前記放射伝導体の遠位端に配置された前記一対の電極は、平坦電極、円筒電極、半円形電極、及び同心電極からなる群の少なくとも一である、請求項１に記載の装置。
【請求項６】
前記放射伝導体の遠位端に配置された前記一対の電極は、その間の距離が変化可能に構成される、請求項１に記載の装置。
【請求項７】
前記プローブは、前記放射伝導体／光ガイドの遠位端に配置された前記一対の電極の間に高出力ＲＦ電圧を適用するべく構成される、請求項１に記載の装置。
【請求項８】
前記放射伝導体／光ガイドの遠位端に配置された前記一対の電極の間のインピーダンスの変化を解釈して、トリートメントプロセス進捗、トリートメント終了点、及びトリートメントを受ける体積の温度を示すべく動作可能なメカニズムをさらに含む、請求項１に記載の装置。
【請求項９】
トリートメントを受ける組織のタイプを示すべく構成されたメカニズムをさらに含む、請求項１に記載の装置。
【請求項１０】
前記放射伝導体の遠位端に配置された前記一対の電極と前記外部電極との間に供給される前記ＲＦ電圧は、前記放射伝導体の遠位端に配置された前記一対の電極の間に供給される電圧とは少なくとも一のパラメータにおいて異なり、前記パラメータは、少なくともＲＦ電圧振幅又はＲＦ電圧周波数を含む、請求項１又は５のいずれか一項に記載の装置。
【請求項１１】
前記プローブの遠位端に冷却流体を送達するべく構成された冷却流体導通チャネルをさらに含む、請求項１に記載の装置。
【請求項１２】
ＲＦ電圧源が前記ＲＦ電圧をパルスモード又は連続モードで適用し、前記レーザ放射源は前記レーザ放射をパルスモード又は連続モードで適用する、請求項１０に記載の装置。
【請求項１３】
前記ロードセルは、前記プローブに作用する力を測定するべく動作可能である、請求項１に記載の装置。
【請求項１４】
前記放射伝導体／光ガイドに配置された前記一対の電極と前記外部電極との間の、及び前記放射伝導体／光ガイドに配置された前記一対の電極の間のインピーダンスをモニタリングするメカニズムをさらに含む、請求項１に記載の装置。
【請求項１５】
美容及びボディシェイピング処置のための装置であって、
遠位端が組織の体積の中に挿入されるべく動作可能な細長いレーザ放射伝導体と、機械的な動きに対する前記組織の抵抗力を測定するべく動作可能なロードセルとを有するプローブであって、複数のトリートメントパラメータが前記ロードセルの測定に基づいて調整されるプローブと、
前記組織の体積の中に少なくとも一のタイプのレーザ放射を与えるべく動作可能に構成された少なくとも一のレーザ放射源と
を含む装置。
【請求項１６】
トリートメントの終了点決定も、前記ロードセルの測定に基づいて行われる、請求項１５に記載の装置。
【請求項１７】
美容及びボディシェイピング処置のための装置であって、
細長いレーザ放射伝導体を有するプローブであって、前記伝導体の遠位端が組織の体積の中に挿入されるべく動作可能なプローブと、
前記伝導体の遠位端に配置された一対の電極と、
前記組織の体積の中に少なくとも一のタイプのレーザ放射を与えるべく動作可能な少なくとも一のレーザ放射源と、
前記少なくとも一の電極と外部電極との間に少なくとも一のタイプのＲＦ電圧を与えるべく構成された少なくとも一のＲＦ電圧源及び少なくとも一のレーザ放射源と
を含む装置。
【請求項１８】
近位端が複数のＲＦ電圧及びレーザ放射の一以上のタイプを受け入れるべく動作可能なコネクタを終端とするプローブをさらに含む、請求項１７に記載の装置。
【請求項１９】
前記プローブの近位端はロードセルを含む、請求項１７に記載の装置。
【手続補正書】
【提出日】平成25年3月27日(2013.3.27)
【手続補正１】
【補正対象書類名】特許請求の範囲
【補正対象項目名】全文
【補正方法】変更
【補正の内容】
【特許請求の範囲】
【請求項１】
ＩＬ−１７ＢＲに結合し、かつ、以下の：
ＳＥＱ  ＩＤ  ＮＯ：５のアミノ酸配列を有するＣＤＲ１、ＳＥＱ  ＩＤ  ＮＯ：６のアミノ酸配列を有するＣＤＲ２、およびＳＥＱ  ＩＤ  ＮＯ：７のアミノ酸配列を有するＣＤＲ３を含むＶＨドメイン；ならびに、
ＳＥＱ  ＩＤ  ＮＯ：８のアミノ酸配列を有するＣＤＲ１、ＳＥＱ  ＩＤ  ＮＯ：９のアミノ酸配列を有するＣＤＲ２、およびＳＥＱ  ＩＤ  ＮＯ：１０のアミノ酸配列を有するＣＤＲ３を含むＶＬドメイン
を含む、抗体分子。
【請求項２】
ＶＨドメインがヒトのフレームワーク領域を含む、請求項１に記載の抗体分子。
【請求項３】
ＶＨドメインがＳＥＱ  ＩＤ  ＮＯ：２を含む、請求項１に記載の抗体分子。
【請求項４】
ＶＬドメインがヒトのフレームワーク領域を含む、請求項１〜３のいずれか１項に記載の抗体分子。
【請求項５】
ＶＬドメインがＳＥＱ  ＩＤ  ＮＯ：４を含む、請求項１〜４のいずれか１項に記載の抗体分子。
【請求項６】
Ｆａｂ、Ｆ（ａｂ’）２、ｓｃＦｖ抗体断片である、請求項１〜５のいずれか１項のいずれか１項に記載の抗体分子。
【請求項７】
抗体定常領域を含む、請求項１〜５のいずれか１項に記載の抗体分子。
【請求項８】
定常領域がＩｇＧ１またはＩｇＧ４の定常領域である、請求項７に記載の抗体分子。
【請求項９】
完全抗体を含む、請求項７に記載の抗体分子。
【請求項１０】
請求項１〜９のいずれか１項に記載の抗体分子をコードするヌクレオチド配列を含む、単離された核酸。
【請求項１１】
請求項１〜１０のいずれか１項に記載の抗体分子の発現のための発現ベクターであって、発現ベクターがプロモーターに操作できるように連結された請求項１０に記載の核酸を含む、前記発現ベクター。
【請求項１２】
請求項１１に記載の発現ベクターを保持する宿主細胞。
【請求項１３】
抗体分子を生成する方法であって、その方法が請求項１２に記載の宿主細胞を前記の抗体分子の産生のための条件の下で培養することを含む、前記方法。
【請求項１４】
さらに前記の抗体分子を単離することを含む、請求項１３に記載の方法。
【請求項１５】
さらに抗体分子を少なくとも１種類の追加の構成要素を含む組成物の中に配合することを含む、請求項１３または請求項１４に記載の方法。
【請求項１６】
請求項１〜９のいずれか１項に記載の抗体分子および医薬的に許容できるキャリヤーを含む組成物。
【請求項１７】
凍結乾燥された粉末の形である、請求項１６に記載の組成物。
【請求項１８】
喘息の処置または予防のための、請求項１〜９のいずれか１項に記載の抗体分子を含む医薬組成物。
【請求項１９】
炎症性腸疾患の処置または予防のための、請求項１〜９のいずれか１項に記載の抗体分子を含む医薬組成物。
【請求項２０】
炎症性腸疾患が潰瘍性結腸炎またはクローン病である、請求項１９に記載の医薬組成物。
【請求項２１】
ＩＬ−１７ＢＲに対する抗体分子を生成する方法であって、以下の：
（ａ）実質的にＳＥＱ  ＩＤ  ＮＯ：７で述べられている通りであるアミノ酸配列を有するＶＨ  ＣＤＲ３を含む抗体ＶＨドメインを提供し；
（ｂ）前記のＶＨドメインを複数の抗体ＶＬドメインと組み合わせて抗体分子を提供し；
（ｃ）前記の抗体分子をＩＬ−１７ＢＲへの結合に関してスクリーニングし；そして
（ｄ）ＩＬ−１７ＢＲに結合する抗体分子を選択する
ことを含む、前記方法。
【請求項２２】
ＶＨドメインが請求項２または３において定義されている通りである、請求項２１に記載の方法。
【請求項２３】
ＩＬ−１７ＢＲに対する抗体分子を生成する方法であって、以下の：
（ａ）置き換えられるＣＤＲ３を含むか、またはＣＤＲ３をコードする領域を欠いているかのどちらかであるＶＨドメインをコードする核酸の出発レパートリーを提供し；
（ｂ）前記のレパートリーを、実質的にＳＥＱ  ＩＤ  ＮＯ：７で述べられている通りであるアミノ酸配列を有するＶＨ  ＣＤＲ３をコードするドナー核酸と、前記のドナー核酸がレパートリー中のＣＤＲ３領域の中に挿入されるように組み合わせて、ＶＨドメインをコードする核酸の生成物レパートリーを提供し；
（ｃ）前記の生成物レパートリーの核酸を発現させ；
（ｄ）ＩＬ−１７ＢＲに特異的な抗体分子を選択し；そして
（ｅ）前記の抗体分子またはそれをコードする核酸を回収する
ことを含む、前記方法。
【請求項２４】
前記の生成物レパートリーをＶＬドメインと共発現させる、請求項２３に記載の方法。
【手続補正書】
【提出日】平成25年1月28日(2013.1.28)
【手続補正１】
【補正対象書類名】特許請求の範囲
【補正対象項目名】全文
【補正方法】変更
【補正の内容】
【特許請求の範囲】
【請求項１】
（ａ）酸化第二鉄、二酸化チタン、微細ナノスケール金若しくは白金、又はこれらの組み合わせを含む表面改質剤を含む表面処理剤を表面の少なくとも一部の上に担持する珪藻土を含む少なくとも１つの濃縮剤を含む焼結多孔質ポリマーマトリックスを含む濃縮素子を用意する工程と、（ｂ）少なくとも１つの微生物株を含む試料を用意する工程と、（ｃ）前記濃縮素子を前記試料と接触させることにより、前記少なくとも１つの微生物株のうち少なくとも一部が前記濃縮素子に結合又は捕捉されるようにする工程と、を含む、方法。
【請求項２】
前記方法が、少なくとも１つの結合した微生物株の存在を検出する工程を更に含む、請求項１に記載の方法。
【請求項３】
酸化第二鉄、二酸化チタン、微細ナノスケール金若しくは白金、又はこれらの組み合わせを含む表面改質剤を含む表面処理剤を表面の少なくとも一部の上に担持する珪藻土を含む少なくとも１つの濃縮剤を含む焼結多孔質ポリマーマトリックスを含む、濃縮素子。
【手続補正書】
【提出日】平成25年4月1日(2013.4.1)
【手続補正１】
【補正対象書類名】特許請求の範囲
【補正対象項目名】全文
【補正方法】変更
【補正の内容】
【特許請求の範囲】
【請求項１】
身体の体内壁の穿孔を閉じるための医療デバイスであって、
一組の組織アンカーであって、各組織アンカーはクロスバー及びストランドを有し、前記クロスバーは対向する端部を有し且つ長手方向軸線を画定しており、前記ストランドは、前記対向する端部の間の位置において前記クロスバーに連結され且つ長手方向軸線から離れる方向に突き出て、前記クロスバーに連結された遠位端及び第１のコネクタを有する近位端を備えている、一組の組織アンカーと、
前記第１のコネクタを選択的に係合及び解除するように構成されている細長いテンション部材であって、第１及び第２の端部を有する細長い縫合糸を有し、前記穿孔を閉じるために前記ストランドは共に引っ張られて固定されるようになされており、前記縫合糸は前記各組織アンカーの前記第１のコネクタと選択的に係合及び解除するように構成されている、細長いテンション部材と、
を備えており、
前記一組の組織アンカーは第１の組織アンカーと第２の組織アンカーを含んでおり、細長い前記縫合糸は、前記第１の端部から第１の環状部分を形成するために折り返される第１の部分まで延在し、前記第１の環状部分から第２の環状部分を形成するために折り返される第２の部分まで延在し、前記第２の環状部分から前記第２の端部まで延在しており、前記第１及び第２の組織アンカーの前記第１のコネクタは前記第１及び第２の環状部分を選択的に受け入れることができる大きさとされており、当該医療デバイスは前記第１及び第２の環状部分を選択的に係合するための細長い保持部材をさらに備えている、
医療デバイス。
【請求項２】
前記ストランドが前記クロスバーに固定して取り付けられている、請求項１に記載の医療デバイス。
【請求項３】
前記ストランドと前記クロスバーが、一つの要素として一体的且つ単一的に形成されている、請求項１に記載の医療デバイス。
【請求項４】
前記ストランドが約２０ｍｍから約３０ｍｍの範囲の長さを有する、請求項１に記載の医療デバイス。
【請求項５】
前記ストランドを共に固定するための縫合糸ロックをさらに備える、請求項１記載の医療デバイス。
【請求項６】
前記第１のコネクタが閉ループである、請求項１に記載の医療デバイス。
【請求項７】
前記細長いテンション部材が第２のコネクタを有する遠位端を有し、前記第１及び第２のコネクタが互いに選択的に係合及び解除するように構成されている、請求項１に記載の医療デバイス。
【請求項８】
前記細長いテンション部材が、医療専門家が引っ張ることができるように前記身体の外部に位置した第１及び第２の端部と、前記第１及び第２の端部の間に位置する中間部と、を有する細長い縫合糸を備えており、前記縫合糸の前記中間部は、前記第１及び第２の端部の少なくとも一方を医療専門家が離すことによって前記第１のコネクタを選択的に係合及び解除するように構成されている、請求項１に記載の医療デバイス。
【請求項９】
前記第１及び第２の組織アンカーの前記第１のコネクタが第１及び第２の閉ループをそれぞれ有しており、前記第１及び第２の閉ループは前記第１及び第２の環状部分をそれぞれ選択的に受け入れる、請求項１に記載の医療デバイス。
【請求項１０】
前記第１のコネクタがＪ字型フックと閉ループのうちの１つの形をしている、請求項１に記載の組織アンカー。
【手続補正書】
【提出日】平成25年4月1日(2013.4.1)
【手続補正１】
【補正対象書類名】特許請求の範囲
【補正対象項目名】全文
【補正方法】変更
【補正の内容】
【特許請求の範囲】
【請求項１】
縫合糸に結合されたアンカー部材を有する少なくとも１つの組織アンカーと、
前記少なくとも１つの組織アンカーを摺動可能に収容できる大きさである針ルーメンを有する針であって、前記針と前記針ルーメンが前記医療デバイスの長手方向軸線を画定している針と、
前記少なくとも１つの組織アンカーの送達後に縫合糸を固定するための縫合糸ロックであって、
第１の内部通路を画定する第１の内部壁を有する本体を持っているプラグと、
第２の内部通路を画定する第２の内部壁を有する管状本体を有する保持スリーブであって、第２の内部通路はプラグを収容し且つ前記プラグと当該第２の内部壁の間に前記少なくとも１つの組織アンカーの前記縫合糸を係合できる大きさであり、前記第１及び第２の内部通路の双方が、前記少なくとも１つの組織アンカーを送達するときに、前記針を摺動可能に収容できる大きさである保持スリーブと
を備える、縫合糸ロックと、
前記プラグと係合可能であり、前記針を摺動可能に収容できる大きさである内部シースルーメンを有する内部シースであって、前記内部シースをその長さ方向で動かすことにより、前記プラグが前記針に沿って摺動するようにさせる内部シースと、
前記保持スリーブと係合可能であり、前記内部シースと前記プラグを摺動可能に収容できる大きさである外部シースルーメンを有する外部シースと
を備える、医療デバイス。
【請求項２】
前記プラグは本体から各々半径方向に拡張するグリップとストッパを含んでおり、前記ストッパは近位方向に向いている第１の肩部を画定し、前記保持スリーブは近位方向に向いている第２の肩部を画定している管状本体から半径方向に拡張している周辺リムを含んでおり、前記内部シースは前記プラグの前記第１の肩部に当接することができる大きさ且つ配置とされており、前記外部シースは前記保持スリーブの第２の肩部に当接することができる大きさ且つ配置とされている、請求項１に記載の医療デバイス。
【請求項３】
前記縫合糸ロックは、組織を貫通して前記少なくとも１つの組織アンカーを送達しているときの非ロック状態と、組織を貫通して前記少なくとも１つの組織アンカーを送達した後のロック状態との間で操作可能であり、前記プラグと前記保持スリーブは、前記非ロック形態では相互に分離されて、前記ロック状態では相互に係合され、前記プラグと前記保持スリーブは、前記ロック状態で前記プラグと前記保持スリーブの前記第２の内部壁の間で前記少なくとも１つの組織アンカーの前記縫合糸を圧迫する大きさに構成されている、請求項１に記載の医療デバイス。
【請求項４】
前記医療デバイスは送達形態と配備形態の間で操作可能であり、前記内部シース、前記プラグ、及び前記針は前記送達形態で前記外部シースルーメン内に実質的に収容され、前記針は、前記配備形態では、前記外部シースの遠位端と前記保持スリーブを越えて突出している、請求項１に記載の医療デバイス。
【請求項５】
前記少なくとも１つの組織アンカーの前記縫合糸は、近位方向に且つ前記プラグと前記保持スリーブの間に延在している、請求項１に記載の医療デバイス。
【請求項６】
前記少なくとも１つの組織アンカーの前記縫合糸は、前記外部シースルーメン内で前記内部シースの外側に沿って近位方向に延在している、請求項１に記載の医療デバイス。
【請求項７】
前記少なくとも１つの組織アンカーの前記縫合糸は前記縫合糸ロック内に事前装填されている、請求項１に記載の医療デバイス。
【請求項８】
前記針の遠位端が、前記少なくとも１つの組織アンカーの前記縫合糸を収容できる大きさである針スロットを画定している、請求項１に記載の医療デバイス。
【請求項９】
前記少なくとも１つの組織アンカーは複数の組織アンカーを含んでおり、前記複数の組織アンカーの前記アンカー部材は前記針ルーメン内に連続的に整列している、請求項１に記載の医療デバイス。
【請求項１０】
前記針ルーメン内に摺動可能に収容され、前記複数の組織アンカーの最も近位のアンカー部材と係合することができる大きさ且つ配置とされているプッシャーをさらに備えている、請求項９に記載の医療デバイス。
【請求項１１】
前記複数の組織アンカーは、第１と第２のそれぞれのアンカー部材を有する第１と第２の組織アンカーを含んでおり、前記医療デバイスは前記針ルーメン内の前記第１と第２のアンカー部材の間に配置される少なくとも１つの吸収性スペーサ部材をさらに備えている、請求項９に記載の医療デバイス。
【請求項１２】
前記針の遠位端が、そこに前記複数の組織アンカーの各組織アンカーの前記縫合糸を収容できる大きさの針スロットを画定しており、前記針スロットは、前記複数の組織アンカーの前記アンカー部材の数と長さ、及び前記針ルーメン内に収容された前記スペーサ部材の数と長さによって決まるスロットの長さを有している、請求項１１に記載の医療デバイス。